(57)【要約】  【課題】  配達業者に渡されるまでの利用者の作業量を従来より減らすことができる封筒を提供する。  【解決手段】  封筒１０は、開口２０ａが形成された袋部２０と、袋部２０と一体に形成されて開口２０ａを封じるためのフラップ部３０と、宛先ラベル９０が貼り付けられるためのラベル貼付欄４０とを備え、ラベル貼付欄４０は、袋部２０のうちフラップ部３０が開口２０ａを封じているときにフラップ部３０側になる面２０ｂと、フラップ部３０のうち開口２０ａを封じているときに表になる面３０ａとに跨って形成されていることを特徴とする。【選択図】  図１
2009023661.tif 000002
【特許請求の範囲】
【請求項１】
開口が形成された袋部と、前記袋部と一体に形成されて前記開口を封じるためのフラップ部と、宛先ラベルが貼り付けられるためのラベル貼付部とを備え、
前記ラベル貼付部は、前記袋部のうち前記フラップ部が前記開口を封じているときに前記フラップ部側になる面と、前記フラップ部のうち前記開口を封じているときに表になる面とに跨って形成されていることを特徴とする封筒。
【請求項２】
前記フラップ部は、前記袋部と一体に形成された根元部と、前記ラベル貼付部の一部を構成する端部と、前記根元部から前記端部を切り離すための切断部とが形成されていることを特徴とする請求項１に記載の封筒。
【請求項３】
前記根元部から前記端部が切り離されたときに宛先ラベルが貼り付けられるための切離時ラベル貼付部を備え、
前記切離時ラベル貼付部は、前記袋部のうち前記根元部から前記端部が切り離されていない状態で前記フラップ部が前記開口を封じているときに前記端部によって隠される部分の少なくとも一部を含んで形成されていることを特徴とする請求項２に記載の封筒。
【請求項４】
前記ラベル貼付部のうち前記袋部に形成された部分は、前記切離時ラベル貼付部の一部として兼用であることを特徴とする請求項３に記載の封筒。
【請求項５】
前記袋部は、切れ込みが形成されており、
前記フラップ部は、前記開口を封じているときに前記切れ込みに差し込まれる差し込み部を有していることを特徴とする請求項１から請求項４までの何れかに記載の封筒。
【発明の詳細な説明】
【技術分野】
【０００１】
本発明は、配達に使用される封筒に関する。
【背景技術】
【０００２】
従来、配達に使用される封筒として、開口が形成された袋部と、袋部と一体に形成されて開口を封じるためのフラップ部と、宛先ラベルが貼り付けられるためのラベル貼付部とを備えているものが知られている（例えば、特許文献１参照。）。
【特許文献１】特開平１１−２１２４６８号公報（第４頁、第７図）
【発明の開示】
【発明が解決しようとする課題】
【０００３】
しかしながら、従来の封筒の利用者は、封筒を配達業者に渡すまでに、書類などの荷物を袋部の中に入れて封をし、更にラベル貼付部に宛先ラベルを貼り付けなければならず、作業量が多いという問題がある。
【０００４】
本発明は、配達業者に渡されるまでの利用者の作業量を従来より減らすことができる封筒を提供することを目的とする。
【課題を解決するための手段】
【０００５】
本発明の封筒は、開口が形成された袋部と、前記袋部と一体に形成されて前記開口を封じるためのフラップ部と、宛先ラベルが貼り付けられるためのラベル貼付部とを備え、前記ラベル貼付部は、前記袋部のうち前記フラップ部が前記開口を封じているときに前記フラップ部側になる面と、前記フラップ部のうち前記開口を封じているときに表になる面とに跨って形成されていることを特徴とする。
【０００６】
この構成により、本発明の封筒は、ラベル貼付部に宛先ラベルが貼り付けられることによって同時に封がされるので、配達業者に渡されるまでの利用者の作業量を従来より減らすことができる。
【０００７】
また、本発明の封筒の前記フラップ部は、前記袋部と一体に形成された根元部と、前記ラベル貼付部の一部を構成する端部と、前記根元部から前記端部を切り離すための切断部とが形成されていることが好ましい。
【０００８】
この構成により、本発明の封筒は、フラップ部の端部が根元部から切り離されることによって、容易に封が開けられることができる。
【０００９】
また、本発明の封筒は、前記根元部から前記端部が前記切断部で切り離されたときに宛先ラベルが貼り付けられるための切離時ラベル貼付部を備え、前記切離時ラベル貼付部は、前記袋部のうち前記根元部から前記端部が切り離されていない状態で前記フラップ部が前記開口を封じているときに前記端部によって隠される部分の少なくとも一部を含んで形成されていることが好ましい。
【００１０】
この構成により、本発明の封筒は、袋部の表面のスペースを有効活用することができるので、その分、袋部の表面のレイアウトの自由度を向上することができる。
【００１１】
また、本発明の封筒の前記ラベル貼付部のうち前記袋部に形成された部分は、前記切離時ラベル貼付部の一部として兼用であることが好ましい。
【００１２】
この構成により、本発明の封筒は、フラップ部の端部が根元部から切り離されていないときと、フラップ部の端部が根元部から切り離されているときとで、宛先ラベルが貼り付けられる位置が同じであるので、フラップ部の端部が根元部から切り離されているか否かによらず、配達業者などに同様に取り扱わせることができる。
【００１３】
また、本発明の封筒の前記袋部は、切れ込みが形成されており、前記フラップ部は、前記開口を封じているときに前記切れ込みに差し込まれる差し込み部を有していることが好ましい。
【００１４】
この構成により、本発明の封筒は、宛先ラベルのみで封が固定される場合と比較して、封の固定を強化することができる。
【発明の効果】
【００１５】
本発明によれば、配達業者に渡されるまでの利用者の作業量を従来より減らすことができる封筒を提供することができる。
【発明を実施するための最良の形態】
【００１６】
以下、本発明の一実施の形態について、図面を用いて説明する。
【００１７】
まず、本実施の形態に係る封筒の構成について説明する。
【００１８】
図１（ａ）は、本実施の形態に係る封筒１０の正面図であって、宛先ラベル９０によって封が固定されている状態の図である。図１（ｂ）は、宛先ラベル９０によって封が固定されている状態の封筒１０の背面図である。図２（ａ）は、フラップ部３０が折り曲げられていない状態の封筒１０の正面図である。図２（ｂ）は、フラップ部３０が折り曲げられていない状態の封筒１０の背面図である。
【００１９】
図１に示すように、封筒１０は、開口２０ａが形成された袋部２０と、袋部２０と一体に形成されて開口２０ａを封じるためのフラップ部３０と、宛先ラベル９０が貼り付けられるためのラベル貼付部としてのラベル貼付欄４０と、宛先ラベル９０が貼り付けられるための切離時ラベル貼付部としてのラベル貼付欄５０とを備えている。袋部２０及びフラップ部３０は、一枚の厚紙で形成されている。
【００２０】
袋部２０は、フラップ部３０が開口２０ａを封じているときにフラップ部３０側になる面２０ｂに、ラベル貼付欄４０及びラベル貼付欄５０の一部を構成する破線２１と、ラベル貼付欄５０の一部を構成する破線２２とが印刷されている。また、袋部２０は、面２０ｂに破線２１を挟むように２つの切れ込み２３ａが形成されている。
【００２１】
フラップ部３０は、開口２０ａを封じているときに表になる面３０ａに、ラベル貼付欄４０の一部を構成する破線３１が印刷されている。また、フラップ部３０は、袋部２０と一体に形成された根元部３２と、破線３１が印刷された端部３３と、根元部３２から端部３３を切り離すための切断部としての帯３４とが形成されている。根元部３２には、開口２０ａを封じているときに袋部２０側になる面３２ａに、両面テープ３２ｂが貼り付けられている。帯３４は、フラップ部３０の根元部３２から端部３３を容易に切り離すことができるように上下にミシン目３４ａが入れられているとともに、強度を増すために裏面にテープなどの補強材３４ｂが貼り付けられている。フラップ部３０は、開口２０ａを封じているときに袋部２０の切れ込み２３ａに差し込まれる差し込み部３５ａを有している。
【００２２】
ラベル貼付欄４０は、袋部２０の面２０ｂと、フラップ部３０の面３０ａとに跨って形成されている。
【００２３】
ラベル貼付欄５０は、フラップ部３０の端部３３が根元部３２から切り離されたときに宛先ラベル９０が貼り付けられるための欄である。
【００２４】
なお、宛先ラベル９０は、宛先のほか、送り主、配達業者名、配達予定日時などが記載されており、裏面が粘着面になっている。
【００２５】
次に、封筒１０の製造方法について説明する。
【００２６】
図３（ａ）は、組み立てられる前の状態の封筒１０の正面図である。図３（ｂ）は、組み立てられる前の状態の封筒１０の背面図である。
【００２７】
まず、図３に示す状態において、破線２１及び破線２２が印刷されている部分１０ａを折り曲げ線１０ｂで正面側に折り曲げる。
【００２８】
次いで、部分１０ａを挟む両側の糊代１０ｃを折り曲げ線１０ｄで正面側に折り曲げて部分１０ａと糊付けすることによって、図２に示す封筒１０となる。
【００２９】
次に、封筒１０の使用方法について説明する。
【００３０】
まず、ラベル貼付欄４０に宛先ラベル９０が貼り付けられて封筒１０が発送される場合について説明する。
【００３１】
図４は、フラップ部３０が折り曲げられた状態の封筒１０の正面図である。
【００３２】
まず、書類などの荷物の送り主、即ち、宛先ラベル９０におけるご依頼主である利用者は、図２に示す状態の封筒１０の開口２０ａを介して、荷物を袋部２０の内部に収納する。
【００３３】
次いで、利用者は、袋部２０と、フラップ部３０との境界にある折り曲げ線１０ｅでフラップ部３０を正面側に折り曲げて、フラップ部３０の差し込み部３５ａを袋部２０の切れ込み２３ａに差し込むことによって、図４に示すように封を仮固定する。
【００３４】
次いで、利用者は、図１に示すように、宛先ラベル９０の裏面の粘着面によって宛先ラベル９０をラベル貼付欄４０に貼り付けることによって、封を固定する。
【００３５】
そして、利用者は、封筒１０を宅配業者などの配達業者に渡す。
【００３６】
次に、ラベル貼付欄４０に宛先ラベル９０が貼り付けられた封筒１０が受け取られる場合について説明する。
【００３７】
図５は、フラップ部３０の帯３４が切り取られてフラップ部３０が折り曲げられた状態の封筒１０の正面図である。図６は、フラップ部３０の帯３４が切り取られてフラップ部３０が折り曲げられていない状態の封筒１０の正面図である。
【００３８】
まず、荷物の受け取り主、即ち、宛先ラベル９０におけるお届け先である利用者は、図１に示す状態の封筒１０を配達業者から受け取ると、フラップ部３０の帯３４を引っ張ってフラップ部３０の根元部３２から端部３３を切り離すことによって、図５に示すように封を開ける。
【００３９】
そして、利用者は、図６に示すようにフラップ部３０を開いて、開口２０ａを介して荷物を袋部２０の外部に取り出す。
【００４０】
次に、ラベル貼付欄５０に宛先ラベル９０が貼り付けられて封筒１０が発送される場合について説明する。
【００４１】
図７は、フラップ部３０の端部３３が袋部２０から剥がされてフラップ部３０が折り曲げられていない状態の封筒１０の正面図である。図８は、フラップ部３０の端部３３が袋部２０から剥がされて封がされた状態の封筒１０の正面図である。図９は、フラップ部３０の端部３３が袋部２０から剥がされて宛先ラベル９０が貼り付けられた状態の封筒１０の正面図である。
【００４２】
まず、書類などの荷物の送り主、即ち、新しい宛先ラベル９０におけるご依頼主である利用者は、図６に示す状態の封筒１０からフラップ部３０の端部３３と、古い宛先ラベル９０とを剥がして図７に示す状態にする。
【００４３】
次いで、利用者は、封筒１０の開口２０ａを介して、荷物を袋部２０の内部に収納する。
【００４４】
次いで、利用者は、フラップ部３０の根元部３２に貼り付けられている両面テープ３２ｂの保護シートを剥がした後、折り曲げ線１０ｅでフラップ部３０を正面側に折り曲げることによって、図８に示すように、両面テープ３２ｂの粘着面によって袋部２０と、フラップ部３０の根元部３２とを張り付けて、封を固定する。
【００４５】
そして、利用者は、図９に示すように、新しい宛先ラベル９０の裏面の粘着面によって宛先ラベル９０をラベル貼付欄５０に貼り付けて、封筒１０を配達業者に渡す。
【００４６】
次に、ラベル貼付欄５０に宛先ラベル９０が貼り付けられた封筒１０が受け取られる場合について説明する。
【００４７】
まず、荷物の受け取り主、即ち、宛先ラベル９０におけるお届け先である利用者は、図９に示す状態の封筒１０を配達業者から受け取ると、袋部２０からフラップ部３０を剥がしたり、袋部２０と、フラップ部３０とを切り離したりして、封を開ける。
【００４８】
そして、利用者は、開口２０ａを介して荷物を袋部２０の外部に取り出す。
【００４９】
以上に説明したように、封筒１０は、ラベル貼付欄４０に宛先ラベル９０が貼り付けられることによって同時に封がされるので、配達業者に渡されるまでの利用者の作業量を従来より減らすことができる。
【００５０】
また、封筒１０は、ラベル貼付欄４０に宛先ラベル９０が貼り付けられることによって封がされている場合、フラップ部３０の帯３４によって根元部３２から端部３３が切り離されることによって、容易に封が開けられることができる。なお、封筒１０は、ラベル貼付欄４０に貼り付けられた宛先ラベル９０がラベル貼付欄４０から剥がされることや、ラベル貼付欄４０に貼り付けられた宛先ラベル９０が破かれることによっても、封が開けられることができる。
【００５１】
また、封筒１０は、フラップ部３０の帯３４で根元部３２から端部３３が切り離されることによって封が開けられるとき、利用者に端部３３が引っ張られることによって端部３３に貼り付けられている宛先ラベル９０が袋部２０からも容易に剥がされることができる。
【００５２】
また、封筒１０は、ラベル貼付欄４０及びラベル貼付欄５０を用いることによって、例えば往復ハガキのように、最低２回使用することができる。なお、封筒１０は、１回しか使用しない場合には、ラベル貼付欄５０を設ける必要がない。
【００５３】
また、封筒１０は、袋部２０のうち端部３３が切り離されていない状態でフラップ部３０が開口２０ａを封じているときにフラップ部３０の端部３３によって隠される部分を含んでラベル貼付欄５０が形成されているので、袋部２０の表面のスペースを有効活用することができる。したがって、封筒１０は、その分、袋部２０の表面のレイアウトの自由度を向上することができる。なお、封筒１０は、袋部２０のうち端部３３が切り離されていない状態でフラップ部３０が開口２０ａを封じているときにフラップ部３０の端部３３によって隠される部分のみでラベル貼付欄５０が形成されていても良い。
【００５４】
また、封筒１０は、ラベル貼付欄４０のうち袋部２０に形成された部分、即ち、破線２１で表わされた部分がラベル貼付欄５０の一部として兼用であるので、フラップ部３０の端部３３が根元部３２から切り離されていないときと、フラップ部３０の端部３３が根元部３２から切り離されているときとで、宛先ラベル９０が貼り付けられる位置が同じである。したがって、封筒１０は、フラップ部３０の端部３３が根元部３２から切り離されているか否かによらず、配達業者などに同様に取り扱わせることができる。
【００５５】
また、封筒１０は、フラップ部３０の端部３３が根元部３２から切り離されていない状態でフラップ部３０が開口２０ａを封じているときに差し込み部３５ａが袋部２０の切れ込み２３ａに差し込まれるので、宛先ラベル９０のみで封が固定される場合と比較して、封の固定を強化することができる。なお、封筒１０は、切れ込み２３ａ及び差し込み部３５ａが設けられていなくても良い。
【００５６】
また、封筒１０は、切断部として帯３４を設けているが、帯３４以外の切断部を設けていても良い。例えば、封筒１０は、帯３４の代わりに１本のミシン目が形成されているだけでも良い。
【００５７】
また、封筒１０は、フラップ部３０の根元部３２を袋部２０に貼り付けるために両面テープ３２ｂを設けているが、フラップ部３０の根元部３２を袋部２０に貼り付けるためのものであれば、両面テープ３２ｂ以外のものを設けていても良い。更に、封筒１０は、フラップ部３０の根元部３２を袋部２０に貼り付けるためのものを一切設けずに、利用者が用意した粘着テープや接着剤などによってフラップ部３０の根元部３２が袋部２０に貼り付けられるようになっていても良い。
【図面の簡単な説明】
【００５８】
【図１】（ａ）本発明の一実施の形態に係る封筒の正面図であって、宛先ラベルによって封が固定されている状態の図である。  （ｂ）図１（ａ）に示す封筒の背面図であって、宛先ラベルによって封が固定されている状態の図である。
【図２】（ａ）図１に示す封筒の正面図であって、フラップ部が折り曲げられていない状態の図である。  （ｂ）図１に示す封筒の背面図であって、フラップ部が折り曲げられていない状態の図である。
【図３】（ａ）図１に示す封筒の正面図であって、組み立てられる前の状態の図である。  （ｂ）図１に示す封筒の背面図であって、組み立てられる前の状態の図である。
【図４】図１に示す封筒の正面図であって、フラップ部が折り曲げられた状態の図である。
【図５】図１に示す封筒の正面図であって、フラップ部の帯が切り取られてフラップ部が折り曲げられた状態の図である。
【図６】図１に示す封筒の正面図であって、フラップ部の帯が切り取られてフラップ部が折り曲げられていない状態の図である。
【図７】図１に示す封筒の正面図であって、フラップ部の端部が袋部から剥がされてフラップ部が折り曲げられていない状態の図である。
【図８】図１に示す封筒の正面図であって、フラップ部の端部が袋部から剥がされて封がされた状態の図である。
【図９】図１に示す封筒の正面図であって、フラップ部の端部が袋部から剥がされて宛先ラベルが貼り付けられた状態の図である。
【符号の説明】
【００５９】
１０  封筒
２０  袋部
２０ａ  開口
２０ｂ  面
２３ａ  切れ込み
３０  フラップ部
３０ａ  面
３２  根元部
３３  端部
３４  帯（切断部）
３５ａ  差し込み部
４０  ラベル貼付欄（ラベル貼付部）
５０  ラベル貼付欄（切離時ラベル貼付部）
９０  宛先ラベル
【図１】
2009023661.tif 000003
【図２】
2009023661.tif 000004
【図３】
2009023661.tif 000005
【図４】
2009023661.tif 000006
【図５】
2009023661.tif 000007
【図６】
2009023661.tif 000008
【図７】
2009023661.tif 000009
【図８】
2009023661.tif 000010
【図９】
2009023661.tif 000011